(57)【特許請求の範囲】
【請求項１】
画像コンテンツ及び／または音楽コンテンツが格納され、前記画像コンテンツ及び／または音楽コンテンツを提供する１以上のコンテンツ提供装置と、画像コンテンツ及び音楽コンテンツを再生する再生装置と、前記コンテンツ提供装置の前記画像コンテンツ及び音楽コンテンツから選択された、再生対象の画像コンテンツ及び音楽コンテンツを用いて前記再生装置にＢＧＭ付きスライドショーを表示させる情報処理装置と、を備えるＢＧＭ付きスライドショー表示システムであって、
前記情報処理装置は、
再生対象として選択された１以上の画像コンテンツ及び１以上の音楽コンテンツの情報が入力される再生対象入力部と、
前記選択された１以上の画像コンテンツに関する画像コンテンツ情報と、前記選択された１以上の音楽コンテンツに関する音楽コンテンツ情報を前記再生装置に通知するコンテンツ情報通知部と、
前記再生装置に対し、前記再生対象の画像コンテンツ及び音楽コンテンツを再生させるための再生要求を行う再生要求部と、
を含み、
前記再生装置は、
前記情報処理装置から通知された画像コンテンツ情報及び音楽コンテンツ情報に基づいて、前記コンテンツ提供装置から前記再生対象の画像コンテンツ及び音楽コンテンツを取得するコンテンツ取得部と、
前記情報処理装置からの再生要求に応じて、前記取得された画像コンテンツを順次表示させるとともに、前記取得された音楽コンテンツを再生するコンテンツ再生部と、
を含み、
前記コンテンツ情報通知部は、
前記再生対象として選択された１以上の画像コンテンツの各々に対応する１以上の画像コンテンツ情報を、前記画像コンテンツの再生順に従って順次前記再生装置に通知し、
前記再生対象として選択された１以上の画像コンテンツが格納される格納場所に関する情報を前記画像コンテンツ情報として前記再生装置に通知することを特徴とする、ＢＧＭ付きスライドショー表示システム。
【請求項２】
前記コンテンツ情報通知部は、直近の再生対象である前記画像コンテンツに対応する画像コンテンツ情報とともに、前記直近の再生対象である画像コンテンツの次に再生対象となる画像コンテンツに対応する画像コンテンツ情報を通知することを特徴とする、請求項１に記載のＢＧＭ付きスライドショー表示システム。
【請求項３】
前記コンテンツ情報通知部は、前記再生対象として選択された１以上の音楽コンテンツの各々に対応する１以上の音楽コンテンツ情報からなる音楽リストを前記再生装置に通知することを特徴とする、請求項１に記載のＢＧＭ付きスライドショー表示システム。
【請求項４】
前記音楽リストに含まれる前記音楽コンテンツ情報の最大数は、前記再生装置によって指定されることを特徴とする、請求項３に記載のＢＧＭ付きスライドショー表示システム。
【請求項５】
前記コンテンツ情報通知部は、最初に再生される前記画像コンテンツに対応する画像コンテンツ情報とともに、前記音楽リストを通知することを特徴とする、請求項３に記載のＢＧＭ付きスライドショー表示システム。
【請求項６】
前記コンテンツ情報通知部は、前記再生対象として選択された１以上の音楽コンテンツが格納される格納場所に関する情報を前記音楽コンテンツ情報として前記再生装置に通知することを特徴とする、請求項１に記載のＢＧＭ付きスライドショー表示システム。
【請求項７】
前記コンテンツ再生部によって前記画像コンテンツ及び音楽コンテンツが再生されている間に、前記情報処理装置のコンテンツ情報通知部から前記音楽コンテンツ情報が通知された場合に、前記再生装置のコンテンツ取得部は、前記通知された音楽コンテンツ情報に基づいて前記音楽コンテンツを取得し、前記コンテンツ再生部は、前記取得された音楽コンテンツを再生することを特徴とする、請求項６に記載のＢＧＭ付きスライドショー表示システム。
【請求項８】
画像コンテンツ及び／または音楽コンテンツが格納され、前記画像コンテンツ及び／または音楽コンテンツを提供する１以上のコンテンツ提供装置と、画像コンテンツ及び音楽コンテンツを再生する再生装置と、前記コンテンツ提供装置の前記画像コンテンツ及び音楽コンテンツから選択された、再生対象の画像コンテンツ及び音楽コンテンツを用いて前記再生装置にＢＧＭ付きスライドショーを表示させる情報処理装置と、を備えるＢＧＭ付きスライドショー表示システムにおけるＢＧＭ付きスライドショー表示方法であって、
前記情報処理装置において、再生対象として選択された１以上の画像コンテンツ及び１以上の音楽コンテンツの情報が入力されるステップと、
前記情報処理装置が、前記選択された１以上の画像コンテンツに関する画像コンテンツ情報と、前記選択された１以上の音楽コンテンツに関する音楽コンテンツ情報を前記再生装置に通知するステップと、
前記情報処理装置が、前記再生装置に対し、前記再生対象の画像コンテンツ及び音楽コンテンツを再生させるための再生要求を行うステップと、
前記再生装置が、前記情報処理装置から通知された画像コンテンツ情報及び音楽コンテンツ情報に基づいて、前記コンテンツ提供装置から前記再生対象の画像コンテンツ及び音楽コンテンツを取得するステップと、
前記再生装置が、前記情報処理装置からの再生要求に応じて、前記取得された画像コンテンツを順次表示させるとともに、前記取得された音楽コンテンツを再生するステップと、
を含み、
前記再生装置に通知するステップでは、
前記再生対象として選択された１以上の画像コンテンツの各々に対応する１以上の画像コンテンツ情報を、前記画像コンテンツの再生順に従って順次前記再生装置に通知させ、
前記再生対象として選択された１以上の画像コンテンツが格納される格納場所に関する情報を前記画像コンテンツ情報として前記再生装置に通知させることを特徴とする、ＢＧＭ付きスライドショー表示方法。
【請求項９】
画像コンテンツ及び／または音楽コンテンツが格納された１以上のコンテンツ提供装置から提供される前記画像コンテンツ及び音楽コンテンツを用いて再生装置にＢＧＭ付きスライドショーを表示させる情報処理装置であって、
再生対象として選択された１以上の画像コンテンツ及び１以上の音楽コンテンツの情報が入力される再生対象入力部と、
前記選択された１以上の画像コンテンツに関する画像コンテンツ情報と、前記選択された１以上の音楽コンテンツに関する音楽コンテンツ情報を前記再生装置に通知するコンテンツ情報通知部と、
前記再生装置に対し、前記再生対象の画像コンテンツ及び音楽コンテンツを再生させるための再生要求を行う再生要求部と、
を備え、
前記コンテンツ情報通知部は、
前記再生対象として選択された１以上の画像コンテンツの各々に対応する１以上の画像コンテンツ情報を、前記画像コンテンツの再生順に従って順次前記再生装置に通知し、
前記再生対象として選択された１以上の画像コンテンツが格納される格納場所に関する情報を前記画像コンテンツ情報として前記再生装置に通知することを特徴とする、情報処理装置。
【請求項１０】
画像コンテンツ及び／または音楽コンテンツが格納された１以上のコンテンツ提供装置から提供される画像コンテンツ及び音楽コンテンツを情報処理装置の制御に基づいて再生し、ＢＧＭ付きスライドショーを表示させる再生装置であって、
前記情報処理装置から通知される、再生対象の１以上の画像コンテンツに関する画像コンテンツ情報と、再生対象の１以上の音楽コンテンツに関する音楽コンテンツ情報とに基づいて、前記コンテンツ提供装置から前記再生対象の画像コンテンツ及び音楽コンテンツを取得するコンテンツ取得部と、
前記情報処理装置からの再生要求に応じて、前記取得された画像コンテンツを順次表示させるとともに、前記取得された音楽コンテンツを再生するコンテンツ再生部と、
を備え、
前記情報処理装置からは、前記情報処理装置において再生対象として選択された１以上の画像コンテンツの各々に対応する１以上の画像コンテンツ情報が、前記画像コンテンツの再生順に従って順次通知され、
前記再生対象として選択された１以上の画像コンテンツが格納される格納場所に関する情報が前記画像コンテンツ情報として通知されることを特徴とする、再生装置。
【請求項１１】
コンピュータを、
画像コンテンツ及び／または音楽コンテンツが格納された１以上のコンテンツ提供装置から提供される前記画像コンテンツ及び音楽コンテンツを用いて再生装置にＢＧＭ付きスライドショーを表示させる情報処理装置であって、
再生対象として選択された１以上の画像コンテンツ及び１以上の音楽コンテンツの情報が入力される再生対象入力部と、
前記選択された１以上の画像コンテンツに関する画像コンテンツ情報と、前記選択された１以上の音楽コンテンツに関する音楽コンテンツ情報を前記再生装置に通知するコンテンツ情報通知部と、
前記再生装置に対し、前記再生対象の画像コンテンツ及び音楽コンテンツを再生させるための再生要求を行う再生要求部と、
を備える情報処理装置として機能させ、
前記コンテンツ情報通知部は、
前記再生対象として選択された１以上の画像コンテンツの各々に対応する１以上の画像コンテンツ情報を、前記画像コンテンツの再生順に従って順次前記再生装置に通知し、
前記再生対象として選択された１以上の画像コンテンツが格納される格納場所に関する情報を前記画像コンテンツ情報として前記再生装置に通知する、プログラム。
【請求項１２】
コンピュータを、
画像コンテンツ及び／または音楽コンテンツが格納された１以上のコンテンツ提供装置から提供される画像コンテンツ及び音楽コンテンツを情報処理装置の制御に基づいて再生し、ＢＧＭ付きスライドショーを表示させる再生装置であって、
前記情報処理装置から通知される、再生対象の１以上の画像コンテンツに関する画像コンテンツ情報と、再生対象の１以上の音楽コンテンツに関する音楽コンテンツ情報とに基づいて、前記コンテンツ提供装置から前記再生対象の画像コンテンツ及び音楽コンテンツを取得するコンテンツ取得部と、
前記情報処理装置からの再生要求に応じて、前記取得された画像コンテンツを順次表示させるとともに、前記取得された音楽コンテンツを再生するコンテンツ再生部と、
を備える再生装置として機能させ、
前記情報処理装置からは、前記情報処理装置において再生対象として選択された１以上の画像コンテンツの各々に対応する１以上の画像コンテンツ情報が、前記画像コンテンツの再生順に従って順次通知され、
前記再生対象として選択された１以上の画像コンテンツが格納される格納場所に関する情報が前記画像コンテンツ情報として通知される、プログラム。
【発明の詳細な説明】
【技術分野】
【０００１】
本発明は、ＢＧＭ付きスライドショー表示システム、ＢＧＭ付きスライドショー表示方法、情報処理装置、再生装置及びプログラムに関する。
【背景技術】
【０００２】
パーソナルコンピュータ等の情報処理装置の多くは、デジタルカメラ等で撮影された静止画像を所定の時間毎、例えば５秒毎に順次自動的に表示させる、スライドショー機能を備えている。また、スライドショー表示時に所望の音楽を再生させるようにした、ＢＧＭ（Ｂａｃｋ  Ｇｒｏｕｎｄ  Ｍｕｓｉｃ）付きのスライドショー機能というものもある。
【０００３】
特許文献１には、このようなスライドショー機能を備える情報処理装置が開示されている。特許文献１に記載の情報処理装置は、デジタルカメラ等から取り込まれた静止画像とＢＧＭとする曲とを内蔵し、ユーザにより選択された曲をＢＧＭとして再生しながら、ケーブルを介して接続されたテレビジョン受像機に静止画像を自動的に順次表示させる。
【０００４】
また、近年では、ユーザが家庭で様々な機器を自由に組み合わせてホームネットワークを構成し、複数の機器間でコンテンツを共有して楽しむことができるようになっている。このようなホームネットワークが構成された環境では、例えば、ＤＶＤレコーダに保存された画像コンテンツと音楽コンテンツを携帯電話等の他の機器から操作して、テレビジョン受像機にＢＧＭ付きスライドショーを表示させたいというニーズが存在する。
【０００５】
従来のホームネットワーク環境において、他の機器に存在するコンテンツを別の機器から操作してＢＧＭ付きスライドショーを実現する場合、ＵＰｎＰ（Ｕｎｉｖｅｒｓａｌ  Ｐｌｕｇ  ａｎｄ  Ｐｌａｙ）等の機能を用いて実現する方法が考えられる。
【０００６】
また、ＵＰｎＰ等の既存の規格をベースとして、機器間連携をより簡単に行えるようにするための仕様も策定されている。この仕様は、ＤＬＮＡ（Ｄｉｇｉｔａｌ  Ｌｉｖｉｎｇ  Ｎｅｔｗｏｒｋ  Ａｌｌｉａｎｃｅ）ガイドラインと呼ばれるもので、ＤＬＮＡガイドラインに対応した機器同士であれば、ユーザが複雑な設定等を行わなくても、簡単に複数の機器間でコンテンツを相互に利用することが可能となる。
【０００７】
【特許文献１】特開２００６−８６６２２号公報
【発明の開示】
【発明が解決しようとする課題】
【０００８】
しかしながら、現状のＤＬＮＡガイドラインでは、ＢＧＭ付きスライドショーのように複数種類のコンテンツ（画像コンテンツと音楽コンテンツ）を同時に扱えるようにするための仕様が規定されていないという問題がある。一方、ＤＬＮＡのベースとなるＵＰｎＰの機能を組み合わせることによりＢＧＭ付きスライドショー機能を実現する場合、設定等の手順が非常に複雑になるという問題が生じる。
【０００９】
そこで、本発明は、上記問題に鑑みてなされたものであり、本発明の目的とするところは、３つ以上の機器を連携させて簡単な手順でＢＧＭ付きスライドショー機能を実現することが可能な、新規かつ改良されたＢＧＭ付きスライドショー表示システム、ＢＧＭ付きスライドショー表示方法、情報処理装置、表示装置及びプログラムを提供することにある。
【課題を解決するための手段】
【００１０】
上記課題を解決するために、本発明のある観点によれば、画像コンテンツ及び／または音楽コンテンツが格納され、画像コンテンツ及び／または音楽コンテンツを提供する１以上のコンテンツ提供装置と、画像コンテンツ及び音楽コンテンツを再生する再生装置と、コンテンツ提供装置の画像コンテンツ及び音楽コンテンツから選択された、再生対象の画像コンテンツ及び音楽コンテンツを用いて再生装置にＢＧＭ付きスライドショーを表示させる情報処理装置と、を備えるＢＧＭ付きスライドショー表示システムが提供される。上記情報処理装置は、再生対象として選択された１以上の画像コンテンツ及び１以上の音楽コンテンツの情報が入力される再生対象入力部と、選択された１以上の画像コンテンツに関する画像コンテンツ情報と、選択された１以上の音楽コンテンツに関する音楽コンテンツ情報を再生装置に通知するコンテンツ情報通知部と、再生装置に対し、再生対象の画像コンテンツ及び音楽コンテンツを再生させるための再生要求を行う再生要求部と、を含むことを特徴とする。また、上記再生装置は、情報処理装置から通知された画像コンテンツ情報及び音楽コンテンツ情報に基づいて、コンテンツ提供装置から再生対象の画像コンテンツ及び音楽コンテンツを取得するコンテンツ取得部と、情報処理装置からの再生要求に応じて、取得された画像コンテンツを順次表示させるとともに、取得された音楽コンテンツを再生するコンテンツ再生部と、を含むことを特徴とする。
【００１１】
コンテンツ情報通知部は、再生対象として選択された１以上の画像コンテンツの各々に対応する１以上の画像コンテンツ情報を、画像コンテンツの再生順に従って順次再生装置に通知するようにしてもよい。
【００１２】
コンテンツ情報通知部は、直近の再生対象である画像コンテンツに対応する画像コンテンツ情報とともに、直近の再生対象である画像コンテンツの次に再生対象となる画像コンテンツに対応する画像コンテンツ情報を通知するようにしてもよい。
【００１３】
コンテンツ情報通知部は、再生対象として選択された１以上の画像コンテンツが格納される格納場所に関する情報を画像コンテンツ情報として再生装置に通知するようにしてもよい。
【００１４】
コンテンツ情報通知部は、再生対象として選択された１以上の音楽コンテンツの各々に対応する１以上の音楽コンテンツ情報からなる音楽リストを再生装置に通知するようにしてもよい。
【００１５】
音楽リストに含まれる音楽コンテンツ情報の最大数は、表示装置によって指定されるものであってもよい。
【００１６】
コンテンツ情報通知部は、最初に再生される画像コンテンツに対応する画像コンテンツ情報とともに、音楽リストを通知するようにしてもよい。
【００１７】
コンテンツ情報通知部は、再生対象として選択された１以上の音楽コンテンツが格納される格納場所に関する情報を音楽コンテンツ情報として再生装置に通知するようにしてもよい。
【００１８】
コンテンツ再生部によって画像コンテンツ及び音楽コンテンツが再生されている間に、情報処理装置のコンテンツ情報通知部から音楽コンテンツ情報が通知された場合に、表示装置のコンテンツ取得部は、通知された音楽コンテンツ情報に基づいて音楽コンテンツを取得し、コンテンツ再生部は、取得された音楽コンテンツを再生するようにしてもよい。
【００１９】
また、上記課題を解決するために、本発明の別の観点によれば、画像コンテンツ及び／または音楽コンテンツが格納され、画像コンテンツ及び／または音楽コンテンツを提供する１以上のコンテンツ提供装置と、画像コンテンツ及び音楽コンテンツを再生する再生装置と、コンテンツ提供装置の画像コンテンツ及び音楽コンテンツから選択された、再生対象の画像コンテンツ及び音楽コンテンツを用いて再生装置にＢＧＭ付きスライドショーを表示させる情報処理装置と、を備えるＢＧＭ付きスライドショー表示システムにおけるＢＧＭ付きスライドショー表示方法が提供される。上記方法は、情報処理装置において、再生対象として選択された１以上の画像コンテンツ及び１以上の音楽コンテンツの情報が入力されるステップと、情報処理装置が、選択された１以上の画像コンテンツに関する画像コンテンツ情報と、選択された１以上の音楽コンテンツに関する音楽コンテンツ情報を再生装置に通知するステップと、情報処理装置が、再生装置に対し、再生対象の画像コンテンツ及び音楽コンテンツを再生させるための再生要求を行うステップと、再生装置が、情報処理装置から通知された画像コンテンツ情報及び音楽コンテンツ情報に基づいて、コンテンツ提供装置から再生対象の画像コンテンツ及び音楽コンテンツを取得するステップと、再生装置が、情報処理装置からの再生要求に応じて、取得された画像コンテンツを順次表示させるとともに、取得された音楽コンテンツを再生するステップと、を含むことを特徴とする。
【００２０】
また、上記課題を解決するために、本発明の別の観点によれば、画像コンテンツ及び／または音楽コンテンツが格納された１以上のコンテンツ提供装置から提供される画像コンテンツ及び音楽コンテンツを用いて再生装置にＢＧＭ付きスライドショーを表示させる情報処理装置であって、再生対象として選択された１以上の画像コンテンツ及び１以上の音楽コンテンツの情報が入力される再生対象入力部と、選択された１以上の画像コンテンツに関する画像コンテンツ情報と、選択された１以上の音楽コンテンツに関する音楽コンテンツ情報を再生装置に通知するコンテンツ情報通知部と、再生装置に対し、再生対象の画像コンテンツ及び音楽コンテンツを再生させるための再生要求を行う再生要求部と、を備えることを特徴とする、情報処理装置が提供される。
【００２１】
また、上記課題を解決するために、本発明の別の観点によれば、画像コンテンツ及び／または音楽コンテンツが格納された１以上のコンテンツ提供装置から提供される画像コンテンツ及び音楽コンテンツを情報処理装置の制御に基づいて再生し、ＢＧＭ付きスライドショーを表示させる再生装置であって、情報処理装置から通知される、再生対象の１以上の画像コンテンツに関する画像コンテンツ情報と、再生対象の１以上の音楽コンテンツに関する音楽コンテンツ情報とに基づいて、コンテンツ提供装置から再生対象の画像コンテンツ及び音楽コンテンツを取得するコンテンツ取得部と、情報処理装置からの再生要求に応じて、取得された画像コンテンツを順次表示させるとともに、取得された音楽コンテンツを再生するコンテンツ再生部と、を備えることを特徴とする、再生装置が提供される。
【００２２】
また、上記課題を解決するために、本発明の別の観点によれば、コンピュータを、画像コンテンツ及び／または音楽コンテンツが格納された１以上のコンテンツ提供装置から提供される画像コンテンツ及び音楽コンテンツを用いて再生装置にＢＧＭ付きスライドショーを表示させる情報処理装置であって、再生対象として選択された１以上の画像コンテンツ及び１以上の音楽コンテンツの情報が入力される再生対象入力部と、選択された１以上の画像コンテンツに関する画像コンテンツ情報と、選択された１以上の音楽コンテンツに関する音楽コンテンツ情報を再生装置に通知するコンテンツ情報通知部と、再生装置に対し、再生対象の画像コンテンツ及び音楽コンテンツを再生させるための再生要求を行う再生要求部と、を備える情報処理装置として機能させるためのプログラムが提供される。
【００２３】
また、上記課題を解決するために、本発明の別の観点によれば、コンピュータを、画像コンテンツ及び／または音楽コンテンツが格納された１以上のコンテンツ提供装置から提供される画像コンテンツ及び音楽コンテンツを情報処理装置の制御に基づいて再生し、ＢＧＭ付きスライドショーを表示させる再生装置であって、情報処理装置から通知される、再生対象の１以上の画像コンテンツに関する画像コンテンツ情報と、再生対象の１以上の音楽コンテンツに関する音楽コンテンツ情報とに基づいて、コンテンツ提供装置から再生対象の画像コンテンツ及び音楽コンテンツを取得するコンテンツ取得部と、情報処理装置からの再生要求に応じて、取得された画像コンテンツを順次表示させるとともに、取得された音楽コンテンツを再生するコンテンツ再生部と、を備える再生装置として機能させるためのプログラムが提供される。
【発明の効果】
【００２４】
以上説明したように本発明によれば、３つ以上の機器を連携させて簡単な手順でＢＧＭ付きスライドショー機能を実現することが可能となる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
（ＢＧＭ付きスライドショー表示システムの構成）
まず、図１を参照して、本発明の一実施形態にかかるＢＧＭ付きスライドショー表示システムの構成について説明する。図１は、本発明の一実施形態にかかるＢＧＭ付きスライドショー表示システム１０の概略構成を示すブロック図である。図１に示すように、ＢＧＭ付きスライドショー表示システム１０は、情報処理装置１００と、再生装置２００と、コンテンツ提供装置３００と、により構成される。各装置は互いに接続され、ホームネットワーク１１を構成している。
【００２７】
（情報処理装置１００）
情報処理装置１００は、コンテンツ提供装置３００に格納されている画像及び音楽コンテンツを選択し、再生装置２００でコンテンツが再生されるようにするためのユーザインタフェースを備える。情報処理装置１００は、例えば、パーソナルコンピュータや、携帯電話、携帯情報端末（ＰＤＡ；Ｐｅｒｓｏｎａｌ  Ｄｉｇｉｔａｌ  Ａｓｓｉｓｔａｎｔｓ）や携帯型ゲーム機、携帯型音楽プレイヤー等の機器であってもよい。以下の説明では、情報処理装置１００は携帯電話であることを想定して説明する。
【００２８】
図２は、情報処理装置１００の構成例を示すブロック図である。図２に示すように、情報処理装置１００は、制御部１０１、バス１０２、無線通信部１０３、アンテナ１０４、無線信号処理部１０５、キー入力インタフェース１０６、キー入力部１０７、音声信号処理部１０８、マイクロフォン１０９、スピーカ１１０、表示制御部１１１及び表示部１１２により構成される。
【００２９】
制御部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びフラッシュメモリ等からなるマイクロコンピュータにより構成される。制御部１０１は、ＣＰＵがＲＯＭ等に記録されたプログラムを実行することによって生成される各種の制御信号をバス１０２を通じて各部に供給し、情報処理装置１００の全体を制御する。
【００３０】
無線通信部１０３は、無線によりアンテナ１０４を介して音声信号やデータを送受信する。情報処理装置１００は、無線通信部１０３を通じてホームネットワーク１１内の他の機器、例えば、再生装置２００やコンテンツ提供装置３００等と通信を行う。無線信号処理部１０５は、無線通信部１０３と接続され、無線通信部１０３で受信された音声信号やデータ信号を復調したり、送信する音声信号やデータ信号を変調して無線通信部１０３に入力したりする等、無線通信に必要な処理を行う。
【００３１】
キー入力部１０７には、電話番号等を入力するためのテンキー、電源をＯＮ／ＯＦＦするための電源キー、通話を開始するための通話開始キー、表示部１１２に表示されるカーソルを移動させるためのカーソルキー等の複数のキーが設けられている。
【００３２】
キー入力インタフェース１０６は、キー入力部１０７と接続され、キー入力部１０７に設けられた各種のキーが操作されることによって生成される操作信号を制御部１０１に伝達する。制御部１０１は、キー入力インタフェース１０６から入力される操作信号に基づいて操作内容を判別し、判別結果に応じた制御処理を行う。
【００３３】
マイクロフォン１０９及びスピーカ１１０は、ユーザが情報処理装置１００を用いて通話を行う際に音声を入力及び出力する。音声信号処理部１０８はマイクロフォン１０９から入力された音声信号を符号化処理したり、無線信号処理部１０５から入力される音声信号を復号してスピーカ１１０から出力したりする。
【００３４】
表示部１１２は、液晶ディスプレイ等により構成される表示装置である。表示制御部１１１は、制御部１０１によって制御され、無線通信部１０３によって受信されたデータや、フラッシュメモリ、メモリカード等の記憶媒体から読み出されたデータを表示部１１２に表示させる。
以上、本実施形態にかかる情報処理装置１００の構成例について説明した。
【００３５】
次に、図３を参照して、情報処理装置１００のＢＧＭ付きスライドショー表示機能について説明する。図３は、ＢＧＭ付きスライドショー表示機能を実現するための情報処理装置１００の機能構成例を示すブロック図である。図３に示すように、情報処理装置１００は、機器検索部１２０、状態管理部１２１、再生対象入力部１２２、コンテンツ情報通知部１２３及び再生要求部１２４により構成される。
【００３６】
なお、図３に示す各機能部は、制御部１０１に含まれるＣＰＵによって実行されることが可能な、各部の機能を実現するソフトウェアプログラムにより実現されてもよく、あるいは、専用のハードウェアによって実現されてもよい。また、上記ソフトウェアプログラムは、制御部１０１に含まれるＲＯＭやフラッシュメモリ等のコンピュータ読み取り可能な記憶媒体に記憶されたものであってもよく、あるいは、ネットワークを介して情報処理装置１００に提供されるものであってもよい。
【００３７】
機器検索部１２０は、無線通信部１０３を通じてホームネットワーク１１に接続されている他の機器、例えば再生装置２００を検索する。機器検索部１２０は、ＵＰｎＰの機器検出機能（Ｍ−Ｓｅａｒｃｈリクエスト）等を用いて機器検索を行うようにしてもよい。また、機器検索部１２０は、検出された機器の機器情報を取得する。機器情報（Ｄｅｖｉｃｅ  ＤｅｓｃｒｉｐｔｉｏｎやＳｅｒｖｉｃｅ  Ｄｅｓｃｒｉｐｔｉｏｎ）には、例えば、機器のＩＤや名称、種類、サービスの一覧、制御可能なサービスのアクション一覧等の情報が含まれる。機器検索部１２０は、取得した機器情報に基づいて、検出された機器がＢＧＭ付きスライドショーを表示可能な機器であるか否かを判断する。
【００３８】
状態管理部１２１は、再生装置２００の状態を管理する。再生装置２００の状態とは、例えば、コンテンツを再生状態／再生停止状態であるかどうかや、再生するコンテンツが設定されているかどうか、等の状態である。状態管理部１２１は、再生装置２００にコンテンツ情報を通知したりコンテンツの再生を要求したりする前に、再生装置２００に状態を問い合わせ、処理が可能な状態であるか否かを確認する。
【００３９】
例えば、状態管理部１２１は、ＵＰｎＰのＡＶトランスポートサービス（ＡＶＴ：ＧｅｔＴｒａｎｓｐｏｒｔＳｔａｔｅ、ＡＶＴ：ＧｅｔＰｏｓｉｔｉｏｎＩｎｆｏ、ＡＶＴ：ＧｅｔＭｅｄｉａＩｎｆｏ等）を用いて、状態の問い合わせを行うようにしてもよい。再生装置２００の状態を確認した結果、処理が可能な状態でない場合、情報処理装置１００は、スライドショーの表示処理を終了するようにしてもよい。あるいは、状態管理部１２１は、再生装置２００側で処理が可能な状態になるまで待機するようにしてもよいし、待機時間に制限を設けるようにしてもよい。
【００４０】
再生対象入力部１２２は、コンテンツ提供装置３００に格納されている画像コンテンツ及び音楽コンテンツのうち、ＢＧＭ付きスライドショーとして再生させるコンテンツを選択するための処理を行う。再生対象入力部１２２は、コンテンツ提供装置３００に格納されている画像コンテンツ及び音楽コンテンツの一覧を表示部１１２に表示させ、ユーザが一覧から再生対象のコンテンツを選択できるようにしてもよい。あるいは、情報処理装置１００において再生対象のコンテンツが自動的に選択されるようにしてもよい。
【００４１】
また、再生対象入力部１２２は、ユーザがキー入力部１０７に備えられたキーを操作することにより入力される操作信号を受信し、どのコンテンツが再生対象として選択されたかを操作信号に基づいて判断する。再生対象として選択されたコンテンツの情報は、再生対象入力部１２２からコンテンツ情報通知部１２３に伝達される。
【００４２】
コンテンツ情報通知部１２３は、機器検索部１２０によって検索された再生装置２００に対し、再生対象入力部１２２において選択されたコンテンツ（画像及び音楽コンテンツ）の情報を通知し、指定したコンテンツが再生装置２００において再生対象として設定されるようにする。
【００４３】
例えば、コンテンツ情報通知部１２３は、ＵＰｎＰのＡＶトランスポートサービス（ＡＶＴ：ＳｅｔＡＶＴｒａｎｓｐｏｒｔＵＲＩ、ＡＶＴ：ＳｅｔＮｅｘｔＡＶＴｒａｎｓｐｏｒｔＵＲＩ等）を用いてコンテンツ情報を通知するようにしてもよい。ここで通知されるコンテンツ情報とは、例えば、スライドショーとして表示される各画像コンテンツのＵＲＩや、ＢＧＭとして再生される音楽コンテンツのリスト、画像コンテンツまたは音楽コンテンツが含まれるコンテナのＵＲＩ等である。
【００４４】
再生要求部１２４は、コンテンツ情報通知部１２３によってコンテンツ情報が通知された再生装置２００に対し、コンテンツの再生要求を行い、ＢＧＭ付きスライドショーが表示されるように再生装置２００を制御する。再生要求部１２４は、例えば、ＵＰｎＰのＡＶトランスポートサービス（ＡＶＴ：Ｐｌａｙ等）を用いて再生装置２００に再生要求を行うようにしてもよい。
以上、情報処理装置１００の機能構成例について説明した。
【００４５】
（再生装置２００）
再生装置２００は、情報処理装置１００からの制御に基づいてコンテンツ提供装置３００から画像及び音楽コンテンツを受信し、ディスプレイにＢＧＭ付きスライドショーを表示させる機能を有する。再生装置２００は、例えば、テレビジョン受像機や、ディスプレイを含むパーソナルコンピュータ、携帯電話、携帯情報端末（ＰＤＡ；Ｐｅｒｓｏｎａｌ  Ｄｉｇｉｔａｌ  Ａｓｓｉｓｔａｎｔｓ）や携帯型ゲーム機等の機器であってもよい。以下では、再生装置２００がテレビジョン受像機であることを想定して説明する。
【００４６】
図４を参照して、再生装置２００の構成例について説明する。図４は、再生装置２００の概略構成を示すブロック図である。再生装置２００は、図４に示すように、制御部２０１、バス２０２、放送受信部２０３、放送インタフェース２０４、コントローラ受信部２０６、ディスプレイ２０７、ディスプレイインタフェース２０８、スピーカ２０９、音声出力インタフェース２１０、通信インタフェース２１１、外部入出力インタフェース２１２及び映像再生部２１３により構成される。以下、再生装置２００の各部について説明する。
【００４７】
制御部２０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びフラッシュメモリ等からなるマイクロコンピュータにより構成される。制御部２０１は、ＣＰＵがＲＯＭ等に記録されたプログラムを実行することによって生成される各種の制御信号をバス２０２を通じて各部に供給し、再生装置２００の全体を制御する。
【００４８】
放送受信部２０３は、受信アンテナや映像配信用ＩＰ網を通じてＴＶ番組のコンテンツを受信し、放送インタフェース２０４を通じて番組コンテンツをバス２０２に送出する。コントローラ受信部２０６は、ユーザによって操作されるコントローラ２０５から赤外線等によって送信される命令信号を受信する。受信された命令信号は、コントローラ受信部２０６からバス２０２を通じて制御部２０１に伝達される。
【００４９】
ディスプレイ２０７は、映像再生部２１３によって再生される動画または静止画コンテンツの画像を表示させるための表示装置である。ディスプレイ２０７は、ディスプレイインタフェース２０８を介して入力される表示画像を表示する。スピーカ２０９は、音声を出力するための出力装置であり、音声出力インタフェース２１０を介して入力される音声を出力する。
【００５０】
通信インタフェース２１１は、インターネットやホームネットワーク１１等のネットワークを介して接続された他の機器と通信を行うためのインタフェースである。
【００５１】
外部入出力インタフェース２１２は、再生装置２００とデジタルレコーダやデジタルビデオカメラ等の機器を接続するためのインタフェースであって、デジタルレコーダやビデオカメラ等から出力される画像や音声を入力したり、再生装置２００によって受信された番組コンテンツ等を出力するためのインタフェースである。
【００５２】
映像再生部２１３は、放送受信部２０３によって受信された番組コンテンツを映像として再生するための処理を行う。映像再生部２１３は、例えば、映像配信用ＩＰ網を通じて放送受信部２０３が受信した番組コンテンツのパケットを音声、ビデオ、データ等の各信号に分離し、分離された信号をそれぞれデコードする。デコードされたビデオ信号はディスプレイインタフェース２０８を通じてディスプレイ２０７に出力され、音声信号は、音声出力インタフェース２１０を通じてスピーカ２０９から出力される。
以上、本実施形態にかかる再生装置２００の構成例について説明した。
【００５３】
次に、図５を参照して、再生装置２００のＢＧＭ付きスライドショー表示機能について説明する。図５は、ＢＧＭ付きスライドショー表示機能を実現するための再生装置２００の機能構成例を示すブロック図である。図５に示すように、再生装置２００は、機器検索応答部２２０、コンテンツ情報設定部２２１、再生要求受信部２２２、コンテンツ取得部２２３及びコンテンツ再生部２２４により構成される。
【００５４】
なお、図５に示す各機能部は、制御部２０１に含まれるＣＰＵによって実行されることが可能な、各部の機能を実現するソフトウェアプログラムにより実現されてもよく、あるいは、専用のハードウェアによって実現されてもよい。また、上記ソフトウェアプログラムは、制御部２０１に含まれるＲＯＭやフラッシュメモリ等のコンピュータ読み取り可能な記憶媒体に記憶されたものであってもよく、あるいは、ネットワークを介して再生装置２００に提供されるものであってもよい。
【００５５】
機器検索応答部２２０は、ホームネットワーク１１に接続されている他の機器、例えば情報処理装置１００からの検索要求（Ｍ−Ｓｅａｒｃｈリクエスト）に対して応答する。また、機器情報の取得要求に対して自分自身の機器情報（Ｄｅｖｉｃｅ  ＤｅｓｃｒｉｐｔｉｏｎやＳｅｒｖｉｃｅ  Ｄｅｓｃｒｉｐｔｉｏｎ）を通知する。
【００５６】
コンテンツ情報設定部２２１は、情報処理装置１００から通知されるコンテンツ情報に基づいて、再生対象としてコンテンツ情報を設定する。例えば、コンテンツ情報設定部２２１は、ＡＶＴ：ＳｅｔＡＶＴｒａｎｓｐｏｒｔＩｎｆｏアクションによって情報処理装置１００から通知された画像コンテンツまたは音楽リストを再生対象として設定したり、ＡＶＴ：ＳｅｔＮｅｘｔＡＶＴｒａｎｓｐｏｒｔＩｎｆｏアクションによって通知された画像コンテンツを次の再生対象として設定する。
【００５７】
再生要求受信部２２２は、情報処理装置１００からの再生要求（ＡＶＴ：Ｐｌａｙ等）を受信し、再生対象として設定されているコンテンツが再生されるようにコンテンツ取得部２２３等に指示する。
【００５８】
コンテンツ取得部２２３は、情報処理装置１００からの再生要求に応じて、コンテンツ提供装置３００から画像及び音楽コンテンツを取得する。コンテンツ取得部２２３は、コンテンツ情報設定部２２１によって再生対象として設定されているコンテンツのＵＲＩ等を用いて、コンテンツ提供装置３００の指定されたＵＲＩからコンテンツを取得する。
【００５９】
コンテンツ再生部２２４は、コンテンツ取得部２２３によって取得されたコンテンツを再生してＢＧＭ付きスライドショーを再生させる処理を行う。コンテンツ再生部２２４は、取得された画像コンテンツをディスプレイ２０７に表示されるようにするとともに、音楽コンテンツを再生してスピーカ２０９から音声が出力されるようにする。
以上、再生装置２００の機能構成例について説明した。
【００６０】
（コンテンツ提供装置３００）
コンテンツ提供装置３００は、画像及び音楽コンテンツが格納される記憶媒体を含み、テレビジョン受像機に対し画像及び音楽コンテンツを提供する機能を有する。コンテンツ提供装置３００は、例えば、パーソナルコンピュータやＤＶＤレコーダ、ディジタルカメラ、音楽プレイヤー等の機器である。以下では、コンテンツ提供装置３００はＤＶＤレコーダであることを想定して説明する。
【００６１】
図６は、コンテンツ提供装置３００の構成例を示すブロック図である。図６に示すように、コンテンツ提供装置３００は、制御部３０１、バス３０２、放送受信部３０３、放送インタフェース３０４、コントローラ受信部３０６、ディスプレイ３０７、ディスプレイインタフェース３０８、ＤＶＤドライブ３１０、通信インタフェース３１１、外部入出力インタフェース３１２、コンテンツ再生部３１３、コンテンツ記録部３１４及びコンテンツデータ格納部３１５により構成される。以下、コンテンツ提供装置３００の各部について説明する。
【００６２】
制御部３０１、放送受信部３０３、放送インタフェース３０４、コントローラ受信部３０６、ディスプレイ３０７、ディスプレイインタフェース３０８、通信インタフェース３１１及び外部入出力インタフェース３１２は、上述した再生装置２００の該当する構成と同様の機能を有するものであるので、重複説明を省略する。
【００６３】
ＤＶＤドライブ３１０は、ＤＶＤ３０９へのデータの読み出し／書き込みを行う。ＤＶＤ３０９から読み出されたデータは、コンテンツ再生部３１３に入力されて、外部入出力インタフェース３１２からテレビジョン受像機等の表示装置に出力可能となる。
【００６４】
コンテンツ再生部３１３は、ＤＶＤ３０９やコンテンツデータ格納部３１５に記録されたコンテンツデータを再生するための処理（データ変換、エンコード／デコード処理等）を行う。コンテンツ記録部３１４は、放送受信部３０３によって受信されたＴＶ番組コンテンツデータをＤＶＤ３０９やコンテンツデータ格納部３１５に記録するための処理（データ変換、エンコード／デコード処理等）を行う。
【００６５】
コンテンツデータ格納部３１５は、ハードディスク等により構成される記録媒体である。コンテンツデータ格納部３１５には、放送受信部３０３によって受信されたＴＶ番組コンテンツや通信インタフェース３１１から入力される画像データ、音楽データ等が格納される。
以上、本実施形態にかかるコンテンツ提供装置３００の構成例について説明した。
【００６６】
次に、図７を参照して、コンテンツ提供装置３００のＢＧＭ付きスライドショー表示機能について説明する。図７は、ＢＧＭ付きスライドショー表示機能を実現するためのコンテンツ提供装置３００の機能構成例を示すブロック図である。図７に示すように、コンテンツ提供装置３００は、画像コンテンツ送信部３２０及び音楽コンテンツ送信部３２１により構成される。
【００６７】
なお、図７に示す各機能部は、制御部３０１に含まれるＣＰＵによって実行されることが可能な、各部の機能を実現するソフトウェアプログラムにより実現されてもよく、あるいは、専用のハードウェアによって実現されてもよい。また、上記ソフトウェアプログラムは、制御部３０１に含まれるＲＯＭやフラッシュメモリ等のコンピュータ読み取り可能な記憶媒体に記憶されたものであってもよく、あるいは、ネットワークを介してコンテンツ提供装置３００に提供されるものであってもよい。
【００６８】
画像コンテンツ送信部３２０及び音楽コンテンツ送信部３２１は、それぞれ、再生装置２００からのコンテンツ取得要求に応じて、コンテンツデータ格納部３１５に格納されている画像コンテンツまたは音楽コンテンツを通信インタフェース３１１から送信する。
【００６９】
以上、本発明の一実施形態にかかるＢＧＭ付きスライドショー表示システム１０の構成例について説明した。以下では、上述したＢＧＭ付きスライドショー表示システム１０において適用されるＢＧＭ付きスライドショー表示方法の実施形態について説明する。
【００７０】
（第１の実施形態）
図８及び９を参照して、本発明の第１の実施形態にかかるＢＧＭ付きスライドショー表示方法について説明する。本実施形態にかかるＢＧＭ付きスライドショー表示方法は、情報処理装置１００が、スライドショー表示させる複数の画像コンテンツを１つずつ表示順に従って連続的に再生装置２００に通知することにより、画像の連続表示を実現することを特徴とする。
【００７１】
この方法によれば、複数の画像コンテンツをリストとして通知する場合と異なり、画像コンテンツの数に上限を設ける必要がないという利点が得られる。また、ＢＧＭとして再生される音楽コンテンツの情報は、音楽リストとして最初に情報処理装置１００から再生装置２００に与えることにより、画像コンテンツの連続表示中継続して音楽リストにある音楽コンテンツを再生させることができる。
【００７２】
まず、ユーザの操作により情報処理装置１００においてＢＧＭ付きスライドショーの表示が選択されると、情報処理装置１００の機器検索部１２０は、ＵＰｎＰの機器検出機能（Ｍ−Ｓｅａｒｃｈリクエスト）等を用いて、ホームネットワーク１１に接続されている再生装置２００を検索する（ステップＳ４００）。再生装置２００の機器検索応答部２２０は、情報処理装置１００からの検索要求に対して応答する（ステップＳ４０２）。
【００７３】
再生装置２００からの応答を受信すると、情報処理装置１００の機器検索部１２０は、再生装置２００に対し機器情報（Ｄｅｖｉｃｅ  ＤｅｓｃｒｉｐｔｉｏｎやＳｅｒｖｉｃｅ  Ｄｅｓｃｒｉｐｔｉｏｎ）の取得を要求する（ステップＳ４０４）。再生装置２００の機器検索応答部２２０は、情報処理装置１００に機器情報を送信する（ステップＳ４０６）。この機器情報には、例えば、再生装置２００のＩＤや名称、種類、サービスの一覧、制御可能なサービスのアクション一覧、指定可能な音楽コンテンツの上限数等が含まれる。
【００７４】
機器情報を受信した情報処理装置１００の機器検索部１２０は、取得した機器情報から、再生装置２００がＢＧＭ付きスライドショーの表示が可能な機器であるか否かを判断する（ステップＳ４０８）。再生装置２００がＢＧＭ付きスライドショーの表示が可能な機器であるか否かは、例えば、機器情報のＤｅｖｉｃｅ  Ｄｅｓｃｒｉｐｔｉｏｎにおいてａｖ：Ｘ＿ＭａｘＢＧＭＣｏｕｎｔが指定されているか否かによって判断されることができる。
【００７５】
ＢＧＭ付きスライドショーの表示ができないと判断された場合（ステップＳ４０８：Ｎｏ）、情報処理装置１００は処理を終了するか、あるいは別の再生装置を検索する。ステップＳ４０８で、ＢＧＭ付きスライドショー表示が可能と判断された場合（ステップＳ４０８：Ｙｅｓ）、処理を続行する。また、ＢＧＭ付きスライドショー表示が可能な再生装置が複数検索された場合、情報処理装置１００は、装置一覧を表示部１１２に表示させ、ユーザの操作により再生装置を選択できるようにしてもよい。
【００７６】
次いで、情報処理装置１００において、スライドショーとして表示させる画像コンテンツが選択される（ステップＳ４１０）。ここで選択される画像コンテンツは、コンテンツ提供装置３００に格納されている画像（静止画像または動画像）のデータである。ユーザは、表示部１１２に表示されるコンテンツ提供装置３００の画像コンテンツの一覧を見て、キー入力部１０７のキーを操作することにより画像コンテンツを選択する。
【００７７】
選択された画像コンテンツの情報は、再生対象入力部１２２に入力される。なお、コンテンツ提供装置３００の画像コンテンツの一覧は、予めコンテンツ提供装置３００から取得されて情報処理装置１００に格納されていてもよく、情報処理装置１００からの要求に基づいてコンテンツ提供装置３００から提供されるようにしてもよい。
【００７８】
次いで、ステップＳ４１０と同様にして、情報処理装置１００において、スライドショー表示時にＢＧＭとして再生させる音楽コンテンツが選択される（ステップＳ４１２）。ここで選択される音楽コンテンツは、コンテンツ提供装置３００に格納されている音楽のデータである。ステップＳ４０６で再生装置２００から取得した機器情報において、指定可能な音楽コンテンツの上限数が指定されている場合、情報処理装置１００は、選択可能な音楽コンテンツの数に上限を設けるようにしてもよい。
【００７９】
次いで、情報処理装置１００の状態管理部１２１は、再生装置２００の状態を確認する（ステップＳ４１４）。ここで確認される状態とは、再生装置２００において現在コンテンツの再生中であるか否かである。状態管理部１２１は、例えば、ＡＶＴ：ＧｅｔＴｒａｎｓｐｏｒｔＳｔａｔｅアクション等を用いて再生装置２００の状態を問い合わせるようにしてもよい。再生装置２００は、情報処理装置１００からの問い合わせに対し、自分自身の状態を応答する（ステップＳ４１６）。
【００８０】
次いで、情報処理装置１００の状態管理部１２１は、再生装置２００からの応答に基づいて、ＢＧＭ付きスライドショー表示が可能な状態であるか否かを判断する（ステップＳ４１８）。具体的には、再生装置２００において、何も再生されていない停止状態（ＳＴＯＰＰＥＤ状態）であるか否かを判断する。停止状態であれば、次の処理に進む（ステップＳ４１８：Ｙｅｓ）。もし、それ以外の状態であれば（ステップＳ４１８：Ｎｏ）、情報処理装置１００は処理を終了するようにしてもよい。
【００８１】
次いで、情報処理装置１００のコンテンツ情報通知部１２３は、ステップＳ４１０及びＳ４１２において選択された画像のうち最初に表示される画像コンテンツ（画像Ａとする）の情報とＢＧＭとなる音楽コンテンツのリストとを再生装置２００に通知する（ステップＳ４２０）。コンテンツ情報通知部１２３は、例えばＡＶＴ：ＳｅｔＡＶＴｒａｎｓｐｏｒｔＵＲＩアクション等を用いて画像Ａ及び音楽リストのＵＲＩを再生装置２００に通知するようにしてもよい。これにより、再生装置２００において、再生対象として画像Ａ及び音楽リストが設定される。
【００８２】
次いで、情報処理装置１００の状態管理部１２１は、画像Ａ及び音楽リストが再生対象のコンテンツとして再生装置２００に設定されているか否かを確認する（ステップＳ４２２）。状態管理部１２１は、例えばＡＶＴ：ＧｅｔＰｏｓｉｔｉｏｎＩｎｆｏアクション等を用いて再生装置２００の設定状態を確認するようにしてもよい。
【００８３】
再生装置２００からの応答を受信すると（ステップＳ４２４）、状態管理部１２１は、応答内容に基づいて、再生装置２００に画像Ａ及び音楽リストが再生対象として設定されているか否かを判断する（ステップＳ４２６）。ここで、設定されていない場合は（ステップＳ４２６：Ｎｏ）、情報処理装置１００は処理を終了するようにしてもよい。設定されている場合は（ステップＳ４２６：Ｙｅｓ）、次の処理に進む。
【００８４】
次いで、情報処理装置１００のコンテンツ情報通知部１２３は、画像Ａの次に表示される画像コンテンツ（画像Ｂとする）の情報を再生装置２００に通知し、再生装置２００の次の再生対象として画像Ｂが設定されるようにする（ステップＳ４２８）。コンテンツ情報通知部１２３は、ＡＶＴ：ＳｅｔＮｅｘｔＡＶＴｒａｎｓｐｏｒｔＵＲＩアクション等を用いて画像ＢのＵＲＩを再生装置２００に通知するようにしてもよい。
【００８５】
これにより、画像Ａの次に表示させる画像Ｂの情報を予め再生装置２００に設定し、コンテンツ提供装置３００から予め画像Ｂを取得しておくことができる。その結果、再生装置２００による画像の取得時間が表示タイミングに与える影響を軽減させることができ、同一間隔で連続して画像を表示させることが可能となる。
【００８６】
次いで、情報処理装置１００の状態管理部１２１は、画像Ｂが次に表示される画像として再生装置２００に設定されているか否かを確認する（ステップＳ４３０）。状態管理部１２１は、例えばＡＶＴ：ＧｅｔＭｅｄｉａＩｎｆｏアクション等を用いて設定状態を確認するようにしてもよい。再生装置から応答を受信すると（ステップＳ４３２）、状態管理部１２１は、画像Ｂが次の再生対象として設定されているか否かを判断する（ステップＳ４３４）。ここで、設定されていない場合は（ステップＳ４３４：Ｎｏ）、情報処理装置１００は処理を終了するようにしてもよい。
【００８７】
ステップＳ４２０〜Ｓ４３４の処理を通じて、再生対象のコンテンツ及び次に再生されるコンテンツが再生装置２００に設定されていることが確認されると、情報処理装置１００の再生要求部１２４は、再生装置２００に再生処理を行うように要求する（ステップＳ４３６）。再生要求部１２４は、例えばＡＶＴ：Ｐｌａｙアクション等を用いて再生要求を行うようにしてもよい。
【００８８】
情報処理装置１００から再生要求を受信すると、再生装置２００のコンテンツ取得部２２３は、再生対象として指定されているコンテンツ、即ち、画像Ａと音楽リストに含まれる音楽コンテンツとをコンテンツ提供装置３００から取得する（ステップＳ４３８）。コンテンツ提供装置３００から画像Ａと音楽コンテンツを受信すると（ステップＳ４４０）、再生装置２００のコンテンツ再生部２２４は、画像Ａをディスプレイ２０７に表示させ、音楽コンテンツの再生を開始する（ステップＳ４４２）。
【００８９】
さらに、再生装置２００のコンテンツ取得部２２３は、次の再生対象として指定されているコンテンツ、即ち、画像Ｂをコンテンツ提供装置３００から取得する（ステップＳ４４４、Ｓ４４６）。これにより、画像Ｂの取得時間に影響されることなく、予め定められた時間間隔で画像Ｂを画像Ａに連続して表示させることができる。
【００９０】
情報処理装置１００の状態管理部１２１は、再生要求後、再生装置２００においてＢＧＭ付きスライドショー表示が実行されているか否かを確認するために、状態の問い合わせを行う（ステップＳ４４８）。ここでも、ステップＳ４１４と同様に、状態管理部１２１は、ＡＶＴ：ＧｅｔＴｒａｎｓｐｏｒｔＳｔａｔｅアクション等を用いてもよい。再生装置２００は、情報処理装置１００からの問い合わせに対し、自分自身の状態を応答する（ステップＳ４５０）。
【００９１】
次いで、情報処理装置１００の状態管理部１２１は、再生装置２００からの応答に基づいて、再生装置２００が再生状態（ＰＬＡＹＩＮＧ状態）であるか否かを判断する（ステップＳ４５２）。再生状態であれば、次の処理に進む（ステップＳ４５２：Ｙｅｓ）。もし、それ以外の状態であれば（ステップＳ４５２：Ｎｏ）、情報処理装置１００は処理を終了するようにしてもよい。
【００９２】
次いで、情報処理装置１００のコンテンツ情報通知部１２３は、現在再生されている画像Ａの次の再生対象として画像Ｂのコンテンツ情報を通知する（ステップＳ４５４）。これにより、再生背装置２００のコンテンツ再生部２２４は、画像Ｂをディスプレイ２０７に表示させる（ステップＳ４５６）。
【００９３】
また、情報処理装置１００の状態管理部１２１は、ステップＳ４２２〜Ｓ４２６と同様に再生装置２００において画像Ｂ及び音楽リストが再生対象として設定されているか否かを確認する（ステップＳ４５８〜Ｓ４６２）。
【００９４】
ステップＳ４６２で、画像Ｂ及び音楽リストが再生対象として設定されていることが確認されると、情報処理装置１００のコンテンツ情報通知部１２３は、次の再生対象である画像Ｃのコンテンツ情報を通知する（ステップＳ４６４）。再生装置２００のコンテンツ情報設定部２２１は、次の再生対象として画像Ｃを設定し、コンテンツ取得部２２３は、コンテンツ提供装置３００に画像Ｃの取得要求を行う（ステップＳ４６６）。再生装置２００からのコンテンツ取得要求を受けて、コンテンツ提供装置３００の画像コンテンツ送信部３２０は画像Ｃのデータを送信する。
【００９５】
以上、第１の実施形態にかかるＢＧＭ付きスライドショー表示方法について説明した。上述のような処理手順により、簡単にＢＧＭ付きスライドショー機能を実現することが可能となる。
【００９６】
（第２の実施形態）
次に、図１０及び１１を参照して、本発明の第２の実施形態にかかるＢＧＭ付きスライドショー表示方法について説明する。本実施形態にかかるＢＧＭ付きスライドショー表示方法においては、情報処理装置１００は、１以上の画像コンテンツまたは音楽コンテンツが格納された格納場所を示す情報を再生装置２００に通知することにより、その格納場所に含まれる画像や音楽のコンテンツが連続的に再生されるようにすることを特徴とする。ここでは、画像コンテンツまたは音楽コンテンツが格納された格納場所を、コンテナと称する。
【００９７】
この方法では、複数の画像コンテンツを最初にまとめて設定することができるので、第１の実施形態にかかるＢＧＭ付きスライドショー表示方法と比較して情報処理装置１００が行う制御処理が簡単になるという利点がある。また、ＢＧＭとして再生する音楽リストを最初に指定する第１の実施形態とは異なり、再生途中での音楽コンテンツの追加や変更、削除等を行うことが可能となる。
【００９８】
なお、以下の説明では、第１の実施形態と実質的に同様の処理を行う部分に関しては、重複説明を避けるため省略する。
【００９９】
まず、上述した第１の実施形態と同様、情報処理装置１００の機器検索部１２０が、ホームネットワーク１１に接続されている再生装置２００を検索する（ステップＳ５００）。再生装置２００の機器検索応答部２２０は、情報処理装置１００からの検索要求に対して応答する（ステップＳ５０２）。
【０１００】
次いで、情報処理装置１００の機器検索部１２０は、再生装置２００に対し機器情報（Ｄｅｖｉｃｅ  ＤｅｓｃｒｉｐｔｉｏｎやＳｅｒｖｉｃｅ  Ｄｅｓｃｒｉｐｔｉｏｎ）の取得を要求し（ステップＳ５０４）、再生装置２００の機器検索応答部２２０は、情報処理装置１００に機器情報を送信する（ステップＳ５０６）。
【０１０１】
機器情報を受信した情報処理装置１００の機器検索部１２０は、取得した機器情報から、再生装置２００がＢＧＭ付きスライドショーの表示が可能な機器であるか否かを判断する（ステップＳ５０８）。ここでは、再生装置２００がＢＧＭ付きスライドショーの表示が可能な機器であるか否かは、例えば、機器情報のＳｅｒｖｉｃｅ  ＤｅｓｃｒｉｐｔｉｏｎにおいてＡＶＴ：Ｘ＿ＳｅｔＢＧＭＵＲＩアクションが記載されているか否かによって判断されることができる。
【０１０２】
ステップＳ５０８で、ＢＧＭ付きスライドショー表示が可能と判断された場合（ステップＳ５０８：Ｙｅｓ）、情報処理装置１００において、スライドショーとして表示させる画像コンテンツ及びＢＧＭとして再生させる音楽コンテンツが選択される（ステップＳ５１０、Ｓ５１２）。ここでは、画像コンテンツ及び音楽コンテンツは、コンテンツが含まれるコンテナの単位で選択され、選択されたコンテナに含まれるコンテンツが順番に連続して再生される。選択された画像コンテンツのコンテナをコンテナＡ、音楽コンテンツのコンテナをコンテナＢとする。
【０１０３】
次いで、情報処理装置１００の状態管理部１２１は、ＡＶＴ：ＧｅｔＴｒａｎｓｐｏｒｔＳｔａｔｅアクション等を用いて、再生装置２００が停止状態であるか否かを確認する（ステップＳ５１４）。再生装置２００は、情報処理装置１００からの問い合わせに対し、自分自身の状態を応答する（ステップＳ５１６）。
【０１０４】
次いで、情報処理装置１００の状態管理部１２１は、再生装置２００が停止状態であるか否かを判断し（ステップＳ５１８）、停止状態でなければ処理を終了するようにしてもよい。
【０１０５】
次いで、情報処理装置１００のコンテンツ情報通知部１２３は、ステップＳ５１０において選択された画像コンテンツのコンテナの情報を再生装置２００に通知する（ステップＳ５２０）。コンテンツ情報通知部１２３は、例えばＡＶＴ：ＳｅｔＡＶＴｒａｎｓｐｏｒｔＵＲＩアクション等を用いて画像コンテンツのコンテナＡのＵＲＩを再生装置２００に通知するようにしてもよい。これにより、再生装置２００において、再生対象として画像コンテンツのコンテナＡが設定される。
【０１０６】
次いで、情報処理装置１００の状態管理部１２１は、コンテナＡが再生対象のコンテンツとして再生装置２００に設定されているか否かを確認する（ステップＳ５２２〜Ｓ５２６）。状態管理部１２１は、例えばＡＶＴ：ＧｅｔＰｏｓｉｔｉｏｎＩｎｆｏアクション等を用いて再生装置２００の設定状態を確認するようにしてもよい。コンテナＡが再生対象として設定されていない場合は（ステップＳ５２６：Ｎｏ）、情報処理装置１００は処理を終了するようにしてもよい。設定されている場合は（ステップＳ５２６：Ｙｅｓ）、次の処理に進む。
【０１０７】
次いで、情報処理装置１００のコンテンツ情報通知部１２３は、ＢＧＭとして再生される音楽コンテンツのコンテナＢの情報を再生装置２００に通知する（ステップＳ５２８）。コンテンツ情報通知部１２３は、例えば、ＡＶＴ：Ｘ＿ＳｅｔＢＧＭＵＲＩアクション等を用いてコンテナＢのＵＲＩを再生装置２００に通知するようにしてもよい。
【０１０８】
次いで、情報処理装置１００の状態管理部１２１は、コンテナＢが再生対象のＢＧＭとして設定されているか否かを確認する（ステップＳ５３０〜Ｓ５３４）。状態管理部１２１は、例えばＡＶＴ：Ｘ＿ＧｅｔＢＧＭＵＲＩアクション等を用いて、指定したコンテナＢが再生対象ＢＧＭとして設定されているかを確認するようにしてもよい。
【０１０９】
ステップＳ５２０〜Ｓ５３４の処理を通じて、再生対象の画像コンテンツのコンテナＡ及びＢＧＭとして再生される音楽コンテンツのコンテナＢが再生装置２００に設定されていることが確認されると、情報処理装置１００の再生要求部１２４は、再生装置２００に再生処理を行うように要求する（ステップＳ５３６）。再生要求部１２４は、例えばＡＶＴ：Ｐｌａｙアクション等を用いて再生要求を行うようにしてもよい。
【０１１０】
情報処理装置１００から再生要求を受信すると、再生装置２００のコンテンツ取得部２２３は、再生対象として指定されているコンテンツ提供装置３００のコンテナＡ及びコンテナＢのＵＲＩから、それぞれ画像コンテンツ及び音楽コンテンツを取得する（ステップＳ５３８）。コンテンツ提供装置３００から画像コンテンツと音楽コンテンツを受信すると（ステップＳ５４０）、再生装置２００のコンテンツ再生部２２４は、取得された画像コンテンツを順次ディスプレイ２０７に表示させ、音楽コンテンツの再生を開始する（ステップＳ５４２）。
【０１１１】
情報処理装置１００の状態管理部１２１は、再生要求後、再生装置２００においてＢＧＭ付きスライドショー表示が実行されているか否かを確認するために、状態の問い合わせを行う（ステップＳ５４４）。ここでも、ステップＳ５１４と同様に、状態管理部１２１は、ＡＶＴ：ＧｅｔＴｒａｎｓｐｏｒｔＳｔａｔｅアクション等を用いてもよい。再生装置２００は、情報処理装置１００からの問い合わせに対して自分自身の状態を応答し（ステップＳ５４６）、状態管理部１２１は、再生装置２００が再生状態（ＰＬＡＹＩＮＧ状態）であるか否かを判断する（ステップＳ５４８）。
【０１１２】
ここで、ＢＧＭ付きスライドショー表示中にＢＧＭを変更する場合、情報処理装置１００のコンテンツ情報通知部１２３は、ステップＳ５２８のときと同様に、新たなＢＧＭの音楽コンテンツのコンテナＣの情報を再生装置２００に通知する（ステップＳ５５０）。コンテンツ情報通知部１２３は、ここでも、ＡＶＴ：Ｘ＿ＳｅｔＢＧＭＵＲＩアクション等を用いてコンテナＣのＵＲＩを再生装置２００に通知するようにしてもよい。これにより、再生装置２００において、再生対象のＢＧＭとしてコンテナＣが設定される。
【０１１３】
次いで、再生装置２００のコンテンツ取得部２２３は、コンテンツ提供装置３００のコンテナＣのＵＲＩから、コンテナＣの音楽コンテンツを取得する（ステップＳ５５２）。コンテンツ提供装置３００からコンテナＣの音楽コンテンツを受信すると（ステップＳ５５４）、再生装置２００のコンテンツ再生部２２４は、受信した音楽コンテンツの再生を開始する（ステップＳ５５６）。
【０１１４】
このように、ＢＧＭ付きスライドショー表示中に別のコンテナをＢＧＭとして再生装置２００に設定することで、ＢＧＭの追加や変更を行うことができる。
【０１１５】
また、ステップＳ５５０において、再生装置に通知するコンテナの情報に何も指定しなかった場合（即ち、ＡＶＴ：Ｘ＿ＳｅｔＢＧＭＵＲＩアクションに空のパラメタを指定した場合）、再生装置２００の先に設定されていたＢＧＭの設定が解除されるため、ＢＧＭの再生を中止することができる。
【０１１６】
以上のような処理により、ＢＧＭ付きスライドショー表示を実現させることが可能となる。本実施形態にかかる方法によれば、より簡単な制御手順によって情報処理装置１００が再生装置を制御することができる。また、スライドショー再生中のＢＧＭの変更や追加、削除等といった、より拡張された機能を利用することが可能となる。
【０１１７】
（第３の実施形態）
次に、図１２及び１３を参照して、本発明の第３の実施形態にかかるスライドショー表示処理について説明する。本実施形態にかかるスライドショー表示処理は、上述した第１及び第２の実施形態を組み合わせたものである。本実施形態は、画像コンテンツを第１の実施形態と同様の方法により指定し、音楽コンテンツを第２の実施形態と同様の方法により指定することを特徴とする。
【０１１８】
なお、以下の説明では、第１及び第２の実施形態と実質的に同様の処理を行う部分に関しては、重複説明を避けるため省略する。
【０１１９】
ステップＳ６００〜ステップＳ６１８は、上述した第１及び第２の実施形態における該当する処理と同様であるため、説明を省略する。なお、ステップＳ６０８において、再生装置２００がＢＧＭ付きスライドショーの表示が可能な機器であるか否かを、情報処理装置１００の機器検索部１２０が判断する方法は、第２の実施形態において用いられた方法（Ｓｅｒｖｉｃｅ  ＤｅｓｃｒｉｐｔｉｏｎにおいてＡＶＴ：Ｘ＿ＳｅｔＢＧＭＵＲＩアクションが記載されているか）を用いることができる。
【０１２０】
情報処理装置１００が再生装置２００の状態を確認後、情報処理装置１００のコンテンツ情報通知部１２３は、選択された画像コンテンツのうち最初に表示される画像コンテンツ（画像Ａ）の情報を再生装置２００に通知する（ステップＳ６２０）。第１の実施形態と異なるのは、ここで音楽コンテンツに関する情報は通知されず、後で第２の実施形態で用いられたのと同様の方法で音楽コンテンツの情報が通知される。
【０１２１】
次いで、情報処理装置１００の状態管理部１２１は、画像Ａが再生対象のコンテンツとして再生装置２００に設定されているか否かを確認する（ステップＳ６２２〜Ｓ６２６）。これは、第１の実施形態のステップＳ４２２〜Ｓ４２６の処理と同様である。
【０１２２】
次いで、情報処理装置１００のコンテンツ情報通知部１２３は、画像Ａの次に表示される画像コンテンツ（画像Ｂ）の情報を再生装置２００に通知する（ステップＳ６２８）。次いで、情報処理装置１００の状態管理部１２１は、画像Ｂが次に表示される画像として再生装置２００に設定されているか否かを確認する（ステップＳ６３０〜Ｓ６３４）。上記ステップＳ６２８〜Ｓ６３４の処理は、第１の実施形態のステップＳ４２８〜Ｓ４３４の処理と同様である。
【０１２３】
次いで、情報処理装置１００のコンテンツ情報通知部１２３は、ＢＧＭとして再生される音楽コンテンツのコンテナＢの情報を再生装置２００に通知する（ステップＳ６３６）。その後、情報処理装置１００の状態管理部１２１が、コンテナＢが再生対象のＢＧＭとして設定されているか否かを確認する（ステップＳ６３８〜Ｓ６４２）。上記ステップＳ６３６〜Ｓ６４２の処理は、第２実施形態のステップＳ５２８〜Ｓ５３４の処理と同様である。
【０１２４】
再生対象の画像Ａ及びＢＧＭのコンテナＢが設定されていることが確認されると、情報処理装置１００の再生要求部１２４は、再生装置２００に再生処理を行うように要求する（ステップＳ６４４）。再生装置２００のコンテンツ取得部２２３は、再生対象として設定されている画像ＡとＢＧＭとして設定されているコンテナＢのコンテンツをコンテンツ提供装置３００から取得する（ステップＳ６４６〜Ｓ６４８）。次いで、再生装置２００のコンテンツ再生部２２４は、画像Ａをディスプレイ２０７に表示させ、コンテナＢの音楽コンテンツの再生を開始する（ステップＳ６５０）。
【０１２５】
次いで、再生装置２００のコンテンツ取得部２２３は、次の再生対象として指定されている画像Ｂをコンテンツ提供装置３００から取得する（ステップＳ６５２〜Ｓ６５４）。その後、情報処理装置１００の状態管理部１２１は、再生装置２００が再生状態であるか否かを確認する（ステップＳ６５６〜Ｓ６６０）。ステップＳ６５６〜Ｓ６６０の処理は、第１実施形態のステップＳ４４８〜Ｓ４５２の処理と同様である。
【０１２６】
以降、情報処理装置１００のコンテンツ情報通知部１２３は、第１の実施形態のステップＳ４５４〜Ｓ４６４と同様の処理を繰り返すことにより、次に表示させる画像を順次指定していく。再生装置２００は、情報処理装置１００によって通知される画像のコンテンツ情報（ＵＲＩ等）を用いてコンテンツ提供装置３００からコンテンツを取得し、ディスプレイ２０７に表示させる。
【０１２７】
（第４の実施形態）
次に、図１４及び１５を参照して、本発明の第４の実施形態にかかるスライドショー表示処理について説明する。本実施形態にかかるスライドショー表示処理も、第３の実施形態と同様、第１及び第２の実施形態を組み合わせたものである。本実施形態は、画像コンテンツを第２の実施形態と同様の方法により指定し、音楽コンテンツを第１の実施形態と同様の方法により指定することを特徴とする。
【０１２８】
なお、以下の説明では、第１〜第３の実施形態と実質的に同様の処理を行う部分に関しては、重複説明を避けるため省略する。
【０１２９】
ステップＳ７００〜ステップＳ７１８は、上述した第１〜第３の実施形態における該当する処理と同様であるため、説明を省略する。なお、ステップＳ７０８において、再生装置２００がＢＧＭ付きスライドショーの表示が可能な機器であるか否かを、情報処理装置１００の機器検索部１２０が判断する方法は、第１の実施形態において用いられた方法（Ｄｅｖｉｃｅ  Ｄｅｓｃｒｉｐｔｉｏｎにおいてａｖ：Ｘ＿ＭａｘＢＧＭＣｏｕｎｔが指定されているか）を用いることができる。
【０１３０】
次いで、情報処理装置１００のコンテンツ情報通知部１２３は、ステップＳ７１０及びＳ７１２において選択された画像コンテンツのコンテナＡの情報及び音楽コンテンツのリストを再生装置２００に通知する（ステップＳ７２０）。ここでは、第１の実施形態と同様に、例えばＡＶＴ：ＳｅｔＡＶＴｒａｎｓｐｏｒｔＵＲＩアクション等を用いて、画像コンテンツのコンテナＡ及び音楽リストが再生装置２００に通知される。これにより、再生装置２００において、再生対象として画像コンテンツのコンテナＡと音楽リストとが設定される。
【０１３１】
次いで、情報処理装置１００の状態管理部１２１は、コンテナＡと音楽リストが再生対象のコンテンツとして再生装置２００に設定されているか否かを確認する（ステップＳ７２２〜Ｓ７２６）。これは、第１の実施形態のステップＳ４２２〜Ｓ４２６の処理と同様である。
【０１３２】
再生対象としてコンテナＡ及び音楽リストが再生装置２００に設定されていることが確認されると、情報処理装置１００の再生要求部１２４は、再生装置２００に再生処理を行うように要求する（ステップＳ７２８）。
【０１３３】
情報処理装置１００から再生要求を受信すると、再生装置２００のコンテンツ取得部２２３は、コンテンツ提供装置３００からコンテナＡの画像コンテンツ及び音楽リストの音楽コンテンツを取得する（ステップＳ７３０〜Ｓ７３２）。次いで、再生装置２００のコンテンツ再生部２２４は、取得されたコンテナＡに含まれる画像コンテンツを順次ディスプレイ２０７に表示させ、音楽コンテンツの再生を開始する（ステップＳ７３４）。
【０１３４】
次いで、情報処理装置１００の状態管理部１２１は、再生装置２００が再生状態であるか否かを確認する（ステップＳ７３６〜Ｓ７４０）。ステップＳ７３６〜Ｓ７４０の処理は、第１実施形態のステップＳ４４８〜Ｓ４５２の処理と同様である。
【０１３５】
なお、上述した各実施形態における各ステップの処理順序は、かかる例に限定されず、様々に変更されることが可能である。
【０１３６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３７】
例えば、上記実施形態では、画像コンテンツと音楽コンテンツがいずれも同じコンテンツ提供装置に格納されているとして説明したが、本発明はかかる例に限定されない。例えば、コンテンツ提供装置を２つ備え、画像コンテンツと音楽コンテンツとが別のコンテンツ提供装置に格納されているようにしてもよい。あるいは、コンテンツ提供装置には画像コンテンツまたは音楽コンテンツのいずれか一方が格納され、他方は再生装置に格納されているようにしてもよい。また、コンテンツ提供装置と情報処理装置が同一の機器内にあってもよい。
【図面の簡単な説明】
【０１３８】
【図１】本発明の一実施形態にかかるスライドショー表示システムの概略構成を示すブロック図である。
【図２】本発明の一実施形態にかかる情報処理装置の構成例を示すブロック図である。
【図３】図２に示す情報処理装置の機能構成例を示すブロック図である。
【図４】本発明の一実施形態にかかる再生装置の構成例を示すブロック図である。
【図５】図４に示す再生装置の機能構成例を示すブロック図である。
【図６】本発明の一実施形態にかかるコンテンツ提供装置の構成例を示すブロック図である。
【図７】図６に示すコンテンツ提供装置の機能構成例を示すブロック図である。
【図８】本発明の第１の実施形態にかかるスライドショー表示方法による処理の流れを示すシーケンス図である。
【図９】本発明の第１の実施形態にかかるスライドショー表示方法による処理の流れを示すシーケンス図である。
【図１０】本発明の第２の実施形態にかかるスライドショー表示方法による処理の流れを示すシーケンス図である。
【図１１】本発明の第２の実施形態にかかるスライドショー表示方法による処理の流れを示すシーケンス図である。
【図１２】本発明の第３の実施形態にかかるスライドショー表示方法による処理の流れを示すシーケンス図である。
【図１３】本発明の第３の実施形態にかかるスライドショー表示方法による処理の流れを示すシーケンス図である。
【図１４】本発明の第４の実施形態にかかるスライドショー表示方法による処理の流れを示すシーケンス図である。
【図１５】本発明の第４の実施形態にかかるスライドショー表示方法による処理の流れを示すシーケンス図である。
【符号の説明】
【０１３９】
１００    情報処理装置
１０１    制御部
１０２    バス
１０３    無線通信部
１０４    アンテナ
１０５    無線信号処理部
１０６    キー入力インタフェース
１０７    キー入力部
１０８    音声信号処理部
１０９    マイクロフォン
１１０    スピーカ
１１１    表示制御部
１１２    表示部
１２０    機器検索部
１２１    状態管理部
１２２    再生対象入力部
１２３    コンテンツ情報通知部
１２４    再生要求部
２００    再生装置
２０１    制御部
２０２    バス
２０３    放送受信部
２０４    放送インタフェース
２０５    コントローラ
２０６    コントローラ受信部
２０７    ディスプレイ
２０８    ディスプレイインタフェース
２０９    スピーカ
２１０    音声出力インタフェース
２１１    通信インタフェース
２１２    外部入出力インタフェース
２１３    映像再生部
２２０    機器検索応答部
２２１    コンテンツ情報設定部
２２２    再生要求受信部
２２３    コンテンツ取得部
２２４    コンテンツ再生部
３００    コンテンツ提供装置
３０１    制御部
３０２    バス
３０３    放送受信部
３０４    放送インタフェース
３０５    コントローラ
３０６    コントローラ受信部
３０７    ディスプレイ
３０８    ディスプレイインタフェース
３０９    ＤＶＤ
３１０    ＤＶＤドライブ
３１１    通信インタフェース
３１２    外部入出力インタフェース
３１３    コンテンツ再生部
３１４    コンテンツ記録部
３１５    コンテンツデータ格納部
３２０    画像コンテンツ送信部
３２１    音楽コンテンツ送信部
【図１】
0005095436.tif 000002
【図２】
0005095436.tif 000003
【図３】
0005095436.tif 000004
【図４】
0005095436.tif 000005
【図５】
0005095436.tif 000006
【図６】
0005095436.tif 000007
【図７】
0005095436.tif 000008
【図８】
0005095436.tif 000009
【図９】
0005095436.tif 000010
【図１０】
0005095436.tif 000011
【図１１】
0005095436.tif 000012
【図１２】
0005095436.tif 000013
【図１３】
0005095436.tif 000014
【図１４】
0005095436.tif 000015
【図１５】
0005095436.tif 000016